(57)【要約】【課題】  キーパッドが装着された本体に対してカバー部を滑動させて開閉させるスライドモジュールに関し、スライド作動を円滑に行うとともに、モジュールを構成する部品数を少なくし、コストを顕著に低減させ得るスライドモジュールに関する。【解決手段】  モジュールは、携帯電話機の本体に結合される下部プレート；携帯電話機のカバー部に結合され、且つ前述した下部プレートに対して滑動される上部プレート；及び一端は、第１固定ピンにより前記下部プレートに固定され、他端は、第２固定ピンにより前記上部プレートに固定され、所定長さを持つ第１コイルバネを備え、該コイルバネの弾性力により前記下部プレートに対して前記上部プレートを滑動させる。【選択図】  図１
2005286994.tif 000002
【特許請求の範囲】
【請求項１】
携帯電話機における本体とカバー部との間に設けられ、前記カバー部を本体に対して滑動により開閉させる携帯電話機用モジュールにおいて：
前記モジュールは、
携帯電話機の本体に結合される下部プレート；
携帯電話機のカバー部に結合され、且つ、前記下部プレートに対して滑動される上部プレート；及び
一端は、第１固定ピンにより前記下部プレートに固定され、他端は、 第２固定ピンにより前記上部プレートに固定され、且つ、所定長さを持つ第１コイルバネを備え、
前記コイルバネの弾性力により、前記下部プレートに対して前記の上部プレートを滑動させることを特徴とするスライド型携帯電話機用モジュール。
【請求項２】
一端は、前記第１固定ピンの下側に配置された第３固定ピンにより前記下部プレートに固定され、他端は、前記第２固定ピンの下側に配置された第４固定ピンにより前記上部プレートに固定され、且つ、所定長さを持つ第２コイルバネをさらに備えることを特徴とする請求項１に記載のスライド型携帯電話機用モジュール。
【請求項３】
前記下部プレートの側面にはカイドレールが施され、前記上部プレートには、前記ガイドレールに対応する結合部が形成されることを特徴とする請求項１又は２に記載のスライド型携帯電話機用モジュール。
【請求項４】
前記下部プレートのガイドレールには、表面処理又は曲面処理が施され、滑動時における摩擦を低減させ得るように構成したことを特徴とする請求項３に記載のスライド型携帯電話機用モジュール。
【請求項５】
前記上部プレートが滑動するのにあたって、前記コイルバネが最大湾曲された以降からは、前記コイルバネの弾性力により滑動が完了されることを特徴とする請求項１ないし４の何れか一つに記載のスライド型携帯電話機用モジュール。
【請求項６】
前記上部プレート又は前記下部プレートの側端部に磁石が取付けられ、前記磁石により、滑動が完了された後に前記上部プレートと前記下部プレートとが磁性により結合されることを特徴とする請求項１ないし５の何れか一つに記載のスライド型携帯電話機用モジュール。
【発明の詳細な説明】
【技術分野】
【０００１】
本発明は、キーパッドが装備された本体に対してカバー部を滑動させることにより開閉させるスライドモジュールに関し、さらに詳しくは、両端が固定されたコイルバネの弾性復元力によりスライドモジュールを滑動させ、カバー部を本体に対して開閉させ得るように構成したスライド型携帯電話機用モジュールに関する。
【背景技術】
【０００２】
一般に、携帯電話機は、カバー部の開閉方式によってバー型、フリップ型及び折り畳み型などに大別される。バー型の携帯電話機はキーパッドが外部に露出しているため、キーパッドが損傷しやすかった。これに鑑み、フリップ型携帯電話機が提案されたが、フリップ型は機器本体の全長が長いために、使用者の携帯利便性を損なうという課題があった。
【０００３】
また、上述したようなバー型及びフリップ型の短所を補うために、折り畳み型の携帯電話機が提案されたが、携帯時、折り畳まれる第１ユニットと、該第１ユニットと重なる第２ユニットとの連結部位であるヒンジ部が壊れやすかった。
【０００４】
このような折り畳み型携帯電話機の課題を解決するために、スライド型携帯電話機が提示された。スライド型携帯電話機は、図１１に示すように、キー入力ボタンを有するキーパッド１ａが上面に装着された本体１と、スライドモジュール(図示せず)により本体１に対して前後方向に滑動可能に結合され、液晶表示部を有するカバー部２とからなる。
【０００５】
図１２に示す従来のスライドモジュールは、カバー部を本体に対して滑動させる操作を行う時、これをカイドする部材がレール構造にて構成されていたので、外部より衝撃が加わると、構造の特性上、スライドモジュールが破損しやすかった。また、スライド型携帯電話機の開閉操作時に、使用者が、本体に対してカバー部の完全開閉状態を正確に認識することができないという不便さもあった。
【０００６】
さらに、従来のスライド型携帯電話機においては、使用者がカバー部を本体に対して滑動させる時に、ボール４１５が基台４２０の孔ｈ４、ｈ５に選択的にロック結合して発生させる締結音によって開閉操作を認識できるようになっている。これにより使用者が、本体に対するカバー部の滑動動作が完了したことを認識できるが、カバー部開閉時に騒音が生じ、且つ、構造特性上、組立に手間ががかり、滑動動作が円滑にできないという課題が残っている。
【０００７】
さらにまた、滑動動作が完了された後にも、孔(ｈ４、ｈ５)におけるロック結合力が弱いために、意図しない外力により微細な滑動が生じ得るので、使い勝手が悪くなるという課題も生じた。
【発明の開示】
【発明が解決しようとする課題】
【０００８】
よって本発明の目的は、複数のキーパッドが装着された本体に対して、液晶表示部の装着されたカバー部をコイルバネの弾性復元力によって滑動させることにより、カバー部の開閉動作が円滑に行われ、且つ、信頼性を向上させることができるようにしたスライド型携帯電話機用モジュールを提供することにある。
【０００９】
本発明の他の目的は、本体に対してカバー部を開閉させるスライドモジュールの部品数を減らすことにより、組立が簡単で、作業性を向上させ、製造コスト上昇を顕著に低減することができるスライド型携帯電話機用モジュールを提供することにある。
【００１０】
本発明のさらに他の目的は、本体に対するカバー部のスライド動作が完了された状態を正確に認識することができ、使用者の利便性を向上させるようにしたスライド型携帯電話機用モジュールを提供することにある。
【００１１】
本発明のさらに他の目的は、滑動が完了された後、意図せぬ外力による微細な滑動を防止することができるスライド型携帯電話機用モジュールを提供することにある。
【課題を解決するための手段】
【００１２】
かかる本発明の目的は、携帯電話機における本体とカバー部との間に設けられ、かつ前記カバー部を本体に対して滑動させ、かつ開閉させる携帯電話機用モジュールにおいて、前述したモジュールは、携帯電話機の本体に結合される下部プレート；携帯電話機のカバー部に結合され、且つ前記下部プレートに対して滑動される上部プレート；及び一端は、第１固定ピンにより前記下部プレートに固定され、他端は、第２固定ピンにより前記上部プレートに固定され、且つ、所定長さを持つ第１コイルバネを備え、前記コイルバネの弾性力により前記下部プレートに対して前記上部プレートを滑動させることを特徴とするスライド型携帯電話機用モジュールを提供することにより達成される。
【００１３】
また、本発明の目的は、一端は、前記第１固定ピンの下側に設けられた第３固定ピンにより前記下部プレートに固定され、他端は、前記第２固定ピンの下側に設けられた第４固定ピンにより前記上部プレートに固定され、且つ所定長さを持つ第２コイルバネをさらに備えることを特徴とするスライド型携帯電話機用モジュールを提供することにより達成される。
【００１４】
また、本発明の目的は、前記下部プレートの側面にはカイドレールが施され、前記上部プレートには、前記ガイドレールに対応する結合部が形成されることを特徴とするスライド型携帯電話機用モジュールを提供することにより達成される。
【００１５】
さらに、本発明の目的は、前記上部プレートが滑動されるのにあたって、前記コイルバネが最大湾曲された以降からは、前記コイルバネの弾性力により滑動が完了されることを特徴とするスライド型携帯電話機用モジュールを提供することにより達成される。
【００１６】
さらに、本発明の目的は、前述した下部プレートのガイドレールには表面処理又は曲面処理が施され、滑動時における摩擦を削減させ得るようなされたことを特徴とするスライド型携帯電話機用モジュールを提供することにより達成される。
【００１７】
さらに、本発明の目的は、前記上部プレート又は前記下部プレートの側端部に磁石が取付けられ、該磁石により滑動を完了した後、前記上部プレートと前記下部プレートとが磁性により結合されることを特徴とするスライド型携帯電話機用モジュールを提供することによって達成される。
【発明の効果】
【００１８】
本発明に係るスライド型携帯電話機用モジュールは、以下のような効果を奏する。コイルバネの弾性復元力により、多数のキーパッドの装着された本体に対して、液晶表示部を有するカバー部を滑動させることによって、本体に対するカバー部の開閉動作を円滑に行うことができる。
【００１９】
また、本体に対してカバー部を開閉させるスライドモジュールの部品数を減らし、組立工程における作業時間を短縮することができる。これによって、作業性を向上させ、且つ、製造コストの更なる削減を図らせて、価格競争力を確保することができる。
【００２０】
また、本体に対するカバー部の滑動動作が完了された状態を正確に認識することができ、使用者に利便性を提供することになる。共に、滑動時における摩擦及び騒音を低減させ得るため、滑動が完了された後、意図せぬ外力により微細な滑動を防止することができ、使い勝手を向上させることができる。
【００２１】
以下、本発明の望ましい実施例について添付図面を参照しつつ説明するが、これは、本発明の属する技術分野における通常の知識を有する者が、発明を容易に実施することができる程度で詳細に説明したものであって、これにより本発明の技術的思想及び範囲が限定されることを意味するものではない。
【発明を実施するための最良の形態】
【００２２】
図１、２に示す本発明の一実施例に係るスライド型携帯電話機用モジュール３０は、貫通孔４６に結合されるスクリュー(図示せず)により本体１０に装着され、且つ、ガイドレール４１が両側面に形成された下部プレート４０と、貫通孔５５に結合されるスクリュー(図示せず)によりカバー部２０に装着され、且つ、下部プレート４０に対して滑動できるように、ガイドレール４１に対応する結合溝５１が形成された上部プレート５０と、その一端が第１固定ピン４２により下部プレート４０の水平方向における中央から偏心した位置に固定され、その他端が上部プレート５０の水平方向における中央に固定された第２固定ピン５２により上部プレート５０に固定されており、所定長さを有する第１コイルバネ６０とを備えている。第１コイルバネ６０の弾性力により、下部プレート４０に対して上部プレート５０を滑動させることによって、カバー部２０は本体１０に対し開閉する。
【００２３】
以下、本発明に係るスライド型携帯電話機用モジュールの動作について、図３〜５を参照つつ説明する。
【００２４】
図３は、下部プレート４０の装着された本体１０に対して、上部プレート５０の装着されたカバー部２０が重なった初期状態を示す。 図３に示すように、携帯電話機の使用者が前記カバー部２０を図視上方向に押し上げると、第１固定ピン４２を基準にすれば第２固定ピン５２が若干上昇していくことになる。
【００２５】
図４に示すように、カバー部２０を上側方向にさらに押し上げていくと、第１コイルバネ６０の圧縮力と弾性復元力とが互いにバランスを取ることによって、上部プレート５０にさらに外力が加わらなければ、下部プレート４０に対して、上部プレート５０は瞬時停止状態を保持する。
【００２６】
図５に示すように、カバー部２０を上側方向にさらに押し上げていくと、第１コイルバネ６０の弾性復元力により下部プレート４０に対して上部プレート５０が図視上向きに滑動する。
【００２７】
図５は、第１コイルバネ６０の弾性復元力により下部プレート４０に対して上部プレート５０が完全に滑動されることによって、本体１０に対してカバー部２０が滑動され、かつオープンされた状態を示す。
【００２８】
従って使用者は、本体１０の上面に設けられている複数のキーパッド１１を操作することで、通話を行ったり、メッセージなどを確認したりできるようになる。
【００２９】
前述したように、カバー部２０は、第１コイルバネ６０の弾性復元力により本体１０に対して完全にオープンされるため、使用者は、カバー部２０の滑動が完了されたか否かを確認する必要がない。
【００３０】
また、下部プレート４０に対して上部プレート５０を滑動させることにより本体１０に対してカバー部２０を開閉可能とするために必要とされる器具メカニズムと、滑動を制限するストッパーなどの部品を必要としないため、スライド型携帯電話機用モジュール３０を構成する部品数を減らし、且つ、製造コストを削減させることが可能となる。なお、各図から明らかなように第１コイルバネ６０の長さは、カバー部２０の滑動ストロークの約半分よりもやや長く調整されており、これにより完全に閉じ、あるいは開いた状態においても、それらの状態を維持するように弾性復元力が作用する。各ガイドピン４４、４５、５４、５６は、第１コイルバネ６０が、上部プレート５０と下部プレート４０との平板状の隙間において図示のような一定の形状に伸縮するように第１コイルバネ６０をガイドする。
【００３１】
図６ないし図１０に示された本発明の他の実施例に係るスライド型携帯電話機用モジュールにおいては、その一端が下部プレート４０の第１固定ピン４２より下方に配置された第３固定ピン４３により下部プレート４０に固定され、その他端が上部プレート５０の第２固定ピン５２より下方に配置された第４固定ピン５３により上部プレート５０に固定され、且つ、所定長さを持つ第２コイルバネ７０をさらに備える。
【００３２】
以下、本発明の他の実施例に係るスライド型携帯電話機用モジュールの動作について図８を参照としつつ説明する。
【００３３】
図８は、下部プレート４０の装着された本体１０に対して、上部プレート５０の装着されたカバー部２０が重なった初期状態を示したものである。
【００３４】
図８に示すように、携帯電話機の使用者によりカバー部２０を図視上向きに押し上げると、下部プレート４０に固定された第３固定ピン４３を基準にすれば、上部プレート５０に固定された第４固定ピン５３が上向きに移動する。この際、第２コイルバネ７０は、圧縮力により湾曲されて、左斜め上向きに開口した“Ｕ”字形状を描くことになる。
【００３５】
これと共に、上部プレート５０の第２固定ピン５２は、上向きに移動する。従って、第１コイルバネ６０も圧縮力により湾曲されて、左斜め下向きの“Ｕ”字形状を描くことになる。
【００３６】
図９に示すように、前述したカバー部２０を上向きにさらに押し上げていくと、第３、４固定ピン４３、５３は、互いにほぼ水平に位置する。この際、上部プレート５０の第２固定ピン５２も上向きに移動し、第１、２固定ピン４２、５２もほぼ水平に配置される。
【００３７】
従って各第１、２コイルバネ６０、７０のそれぞれの圧縮力と弾性復元力とは、互いにバランスを取る(すなわち第1、２コイルバネ６０，７０は互いに対向し、かつ“Ｕ”字形状をなしている)。この際、上部プレート５０に外力がさらに加わらなければ、下部プレート４０に対して、上部プレート５０は瞬時停止状態を保持する。
【００３８】
図１０に示すように、カバー部２０を上方向にさらに押し上げると、第１、２コイルバネ６０、７０の弾性復元力により上部プレート５０は上向きに押される。図１０においては、第１、２コイルバネ６０、７０の弾性復元力により、上部プレート５０が下部プレート４０に対して完全に滑動されることによって、本体１０に対してカバー部２０がオープンされた状態が示されている。
【００３９】
これによって使用者は、本体１０の上面に装着される多数のキーパッド１１を操作して通話を行ったり、メッセージなどを確認したりすることができる。
【００４０】
また、下部プレート４０のガイドレール４１に対しては、滑動時における摩擦及び騒音を低減するために、表面摩擦低減処理及びその他曲面処理を施すと、弱いパワーででも滑動が可能になるとともに滑動時の摩擦音も低減させることができる。また滑動が完了した後は、上部プレート５０の側端部に取付けられた磁石８０と下部プレートの引掛具８１とを磁性によって結合することになり、これにより意図せぬ外力による微細な滑動に対する抵抗力を生じさせることができる。
【図面の簡単な説明】
【００４１】
【図１】本発明の一実施例に係るスライド型携帯電話機用モジュールの分離斜視図である。
【図２】図１に示したスライド型携帯電話機用モジュールの断面図である。
【図３】図１に示したスライド型携帯電話機用モジュールの使用状態を示す図である。
【図４】図１に示したスライド型携帯電話機用モジュールの使用状態を示す図である。
【図５】図１に示したスライド型携帯電話機用モジュールの使用状態を示す図である。
【図６】本発明の他の実施例に係るスライド型携帯電話機用モジュールの分離斜視図である。
【図７】図６に示したスライド型携帯電話機用モジュールの断面図である。
【図８】図６に示したスライド型携帯電話機用モジュールの使用状態図である。
【図９】図６に示したスライド型携帯電話機用モジュールの使用状態図である。
【図１０】図６に示したスライド型携帯電話機用モジュールの使用状態図である。
【図１１】一般のスライド型携帯電話機の概略を示した斜視図である。
【図１２】従来技術によるスライド型携帯電話機に装着されたモジュールの概略図である。
【符号の説明】
【００４２】
１０  本体
２０  カバー部
３０  スライド型携帯電話機用モジュール
４０  下部プレート
４１  ガイドレール
４２、４３、５２、５３  第１固定ピンないし第４固定ピン
４４、４５、５４，５６  ガイドピン
５０  上部プレート
５１  結合溝
６０  第１コイルバネ
７０  第２コイルバネ
８０  磁石
８１  引掛具
【図１】
2005286994.tif 000003
【図２】
2005286994.tif 000004
【図３】
2005286994.tif 000005
【図４】
2005286994.tif 000006
【図５】
2005286994.tif 000007
【図６】
2005286994.tif 000008
【図７】
2005286994.tif 000009
【図８】
2005286994.tif 000010
【図９】
2005286994.tif 000011
【図１０】
2005286994.tif 000012
【図１１】
2005286994.tif 000013
【図１２】
2005286994.tif 000014